(57)【要約】【課題】ワイヤハーネスに対して形状保持部を形成するワイヤハーネス形状保持部形成装置を提供する。【解決手段】電線２と管体３の内壁３ａ  との間に硬化性の充填材５を充填する一対の充填補助部品１１，１２が形状保持部４の両側に配置される。一対の充填補助部品１１，１２のそれぞれは硬化性の充填材５が流通する充填材流通口１１ｃ、１２ｃと、電線２と管体３の内壁３ａとの間に充填された充填材５の流れを規制する流路規制壁１１ｂ、１２ｂとを備える。【選択図】図１
2012186952.tif 000002
【特許請求の範囲】
【請求項１】
電線と、この電線が内部に挿通された可撓性の管体とからなるワイヤハーネスの形状を保持するワイヤハーネス形状保持構造であって、
前記ワイヤハーネスの形状を保持する部位に、硬化性の充填材を前記電線と管体の内壁との間に充填して形成した形状保持部を有することを特徴とするワイヤハーネス形状保持構造。
【請求項２】
電線と、この電線が内部に挿通された可撓性の管体とからなるワイヤハーネスの形状を保持する形状保持部を形成する形状保持形成装置であって、
前記電線と管体の内壁との間に硬化性の充填材を充填する一対の充填補助部品が前記形状保持部の両側に配置され、
前記一対の充填補助部品のそれぞれは前記硬化性の充填材が流通する充填材流通口と、前記電線と管体の内壁との間に充填された充填材の流れを規制する流路規制壁とを備えていることを特徴とするワイヤハーネス形状保持部形成装置。
【請求項３】
請求項２記載のワイヤハーネス形状保持部形成装置であって、
前記一対の充填補助部品のそれぞれは、前記形状保持部の前記管体の開口端部に取り付けられる一対の周壁半体と、これらの一対の周壁半体のそれぞれに一体に設けられて管体と電線との間を閉塞する前記流路規制壁とで形成され、前記一対の周壁半体の一方には前記充填材流通口が設けられ、前記流路規制壁には電線が挿通する電線挿通凹部が設けられていることを特徴とするワイヤハーネス形状保持部形成装置。
【請求項４】
請求項２又は３記載のワイヤハーネス形状保持部形成装置であって、
前記一対の充填補助部品には、前記管体の端部に係合する係合リブが設けられていることを特徴とするワイヤハーネス形状保持部形成装置。
【請求項５】
電線と、この電線が内部に挿通された可撓性の管体とからなるワイヤハーネスの形状を保持する形状保持部を形成する形状保持形成方法であって、
前記形状保持部の両側のそれぞれに充填補助部品を取り付け、この取り付け状態で一方の充填補助部品の充填材流通口から他方の充填補助部品に向けて硬化性の充填材を管体の内壁と電線との間に注入することを特徴とするワイヤハーネス形状保持部形成方法。
【発明の詳細な説明】
【技術分野】
【０００１】
本発明は、ワイヤハーネス形状保持構造及びワイヤハーネス形状保持部形成装置並びにワイヤハーネス形状保持部形成方法に関する。
【背景技術】
【０００２】
自動車等に配索されるワイヤハーネスは、電線と、この電線が挿通した外装材としてのコルゲートチューブ等からなる可撓性の管体とによって形成されている。特許文献１には、電線を管体の内部で保持する構造を有した従来のワイヤハーネスが記載されている。
【０００３】
従来のワイヤハーネスは可撓性の管体としてピラーガーニッシュを用い、この管体の両端の開口部から必要な長さだけ引き出すように電線を管体の内部に挿通させ、この電線挿通状態で管体の孔部から流動状の塑性物質を注入して塑性物質を冷却固化させる構造となっている。塑性物質が固化することにより、塑性物質が管体の内部で電線を固定するため、ガタ等の異音の発生を防止することが可能となるものである。
【先行技術文献】
【特許文献】
【０００４】
【特許文献１】特開平５−７６１２１号公報
【発明の概要】
【発明が解決しようとする課題】
【０００５】
一般に自動車等においては、ワイヤハーネスは配索経路に沿って折り曲げられ、この折り曲げ状態で配索される。従ってワイヤハーネスを配索するためには、ワイヤハーネスは折り曲げられた形状を保持する必要がある。しかしながら、上述した従来構造のワイヤハーネスは管体内で電線を固定するだけであり、配索のための折り曲げ形状を保持することができない。従って折り曲げ形状を保持するためのプロテクタ等の配索用部材を作成し、この配索用部材を用いてワイヤハーネスを配索している。このため配索経路に沿ったワイヤハーネスの配索が面倒である問題を有している。
【０００６】
そこで本発明は、配索経路等に沿った形状をワイヤハーネス自体が保持した構造とすることにより配索を簡単に行うことが可能なワイヤハーネス形状保持構造を提供することを目的とする。又、本発明はワイヤハーネスに対して形状保持部を形成するワイヤハーネス形状保持部形成装置及びワイヤハーネス形状保持部形成方法を提供することを目的とする。
【課題を解決するための手段】
【０００７】
請求項１記載の発明は、電線と、この電線が内部に挿通された可撓性の管体とからなるワイヤハーネスの形状を保持するワイヤハーネス形状保持構造であって、前記ワイヤハーネスの形状を保持する部位に、硬化性の充填材を前記電線と管体の内壁との間に充填して形成した形状保持部を有することを特徴とする。
【０００８】
請求項２記載の発明は、電線と、この電線が内部に挿通された可撓性の管体とからなるワイヤハーネスの形状を保持する形状保持部を形成する形状保持形成装置であって、前記電線と管体の内壁との間に硬化性の充填材を充填する一対の充填補助部品が前記形状保持部の両側に配置され、前記一対の充填補助部品のそれぞれは前記硬化性の充填材が流通する充填材流通口と、前記電線と管体の内壁との間に充填された充填材の流れを規制する流路規制壁とを備えていることを特徴とする。
【０００９】
請求項３記載の発明は、請求項２記載のワイヤハーネス形状保持部形成装置であって、前記一対の充填補助部品のそれぞれは、前記形状保持部の前記管体の開口端部に取り付けられる一対の周壁半体と、これらの一対の周壁半体のそれぞれに一体に設けられて管体と電線との間を閉塞する前記流路規制壁とで形成され、前記一対の周壁半体の一方には前記充填材流通口が設けられ、前記流路規制壁には電線が挿通する電線挿通凹部が設けられていることを特徴とする。
【００１０】
請求項４記載の発明は、請求項２又は３記載のワイヤハーネス形状保持部形成装置であって、前記一対の充填補助部品には、前記管体の端部に係合する係合リブが設けられていることを特徴とする。
【００１１】
請求項５記載の発明は、電線と、この電線が内部に挿通された可撓性の管体とからなるワイヤハーネスの形状を保持する形状保持部を形成する形状保持形成方法であって、前記形状保持部の両側のそれぞれに充填補助部品を取り付け、この取り付け状態で一方の充填補助部品の充填材流通口から他方の充填補助部品に向けて硬化性の充填材を管体の内壁と電線との間に注入することを特徴とする。
【発明の効果】
【００１２】
請求項１記載の本発明によれば、電線と管体の内壁との間に硬化性の充填材を充填することにより設けられた形状保持部がワイヤハーネスの形状を保持する。従ってワイヤハーネス自体が配索経路に沿った形状となるため、配索用部材を不要とし、ワイヤハーネスだけでの配索が可能となり、ワイヤハーネスの配索を簡単に行うことができる。
【００１３】
請求項２記載の発明によれば、一対の充填保持部品に充填材流通口及び流路規制壁を形成しており、一方の充填補助部品の充填材流通口から充填材を充填することにより流路規制壁が電線と管体の内壁との間の充填材の流れを規制してワイヤハーネスに形状保持部を形成する。ワイヤハーネスが形状保持部を有することにより、ワイヤハーネス自体が形状を保持する構造とすることができる。又、流路規制壁が充填材の充填範囲を規制するため、充填材の充填範囲を管理することができる。さらにこのような発明によれば、充填材流通口及び流路規制壁を充填補助部品に形成するだけであるから、簡単な構造とすることができる。
【００１４】
請求項３記載の発明によれば、周壁半体の電線挿通凹部に電線を挿通させた状態で、一対の周壁半体を閉じることにより流路規制壁が電線と管体の内壁との間を閉塞するため、充填材流通口から充填材を電線及び管体の内壁との間に充填して形状保持部を形成することができる。従ってワイヤハーネスに対して形状保持部を確実に形成することができる。
【００１５】
請求項４記載の発明によれば、充填補助部品に形成されている係合リブが管体の端部に係合することにより充填補助部品が管体の端部に取り付けられるため、充填補助部品を管体の端部に簡単に取り付けることができる。
【００１６】
請求項５記載の発明によれば、一方の充填補助部品の充填材流通口から充填材を注入することにより充填材を管体の内壁と電線との間に充填してワイヤハーネスに形状保持部を形成することができる。従って形状保持部を間谷形成することができる。この場合、他方の充填補助部品の充填材流通口から充填材の排出を目視することにより充填材の充填の過不足を確認することができるため、充填材の充填を確実に知ることができる。
【図面の簡単な説明】
【００１７】
【図１】本発明の第１実施形態のワイヤハーネス及びワイヤハーネス形状保持部形成装置を示す断面図である。
【図２】第１実施形態における第１充填補助部品を示す断面図である。
【図３】本発明の第２実施形態のワイヤハーネス形状保持部形成装置における第１充填補助部品を示す斜視図である。
【図４】本発明の第３実施形態のワイヤハーネス形状保持部形成装置における第１充填補助部品を示す断面図である。
【図５】本発明の第３実施形態のワイヤハーネス形状保持部形成装置における第１充填補助部品の第１形態を示す正面図である。
【図６】本発明の第３実施形態のワイヤハーネス形状保持部形成装置における第１充填補助部品の第２形態を示す正面図である。
【図７】本発明の第３実施形態のワイヤハーネス形状保持部形成装置における第１充填補助部品の第３形態を示す正面図である。
【発明を実施するための形態】
【００１８】
以下、本発明を図示する実施形態により具体的に説明する。なお、各実施形態において、同一の部材には同一の符号を伏して対応させてある。
【００１９】
〔第１実施形態〕
図１は本発明の第１実施形態のワイヤハーネス形状保持部形成装置１０を示し、図２はその部分断面図を示す。ワイヤハーネス形状保持部形成装置１０（以下、形成装置１０）はワイヤハーネス１の所定部位に対して形状保持部４を形成するものである。
【００２０】
ワイヤハーネス１は電線２と、電線２が挿通する可撓性の管体３とによって形成されている。管体３は外装材として用いられるものであり、図２に示すように凹凸部が交互に形成されることにより可撓性を有した蛇腹状のコルゲートチューブを用いることができる。電線２は管体３の内壁３ａとの間に隙間を有するように管体３に挿通される。形状保持部４はワイヤハーネス１を折り曲げするために形成されるものであり、例えば配索経路に沿わせるためにワイヤハーネス１に対して形状を保持する部位に形成される。形状保持部４は形状を保持する部位に対し、発泡ウレタン等の硬化性の充填材５を電線２と管体３の内壁３ａとの間に充填することにより形状を保持するように機能する。
【００２１】
図１に示すように、ワイヤハーネス１は管体３に加えて、外側の管体６、７を備えている。外側の管体６は後述する第１充填補助部品１１の外側（図１における右側）に位置するように設けられ、外側の管体７は後述する第２充填補助部品１２の外側（図１における左側）に位置するように設けられる。これらの外側の管体６、７は、管体３と同様にコルゲートチューブ等の可撓性の管体が用いられ、内部には電線２が挿通する。
【００２２】
ワイヤハーネス形状保持部形成装置１０は同一の構造となっている第１充填補助部品１１及び第２充填補助部品１２からなる一対の充填補助部品を有している。一対の充填補助部品１１、１２はワイヤハーネス１の形状保持部４を挟むように形状保持部４の両側に配置されるものであり、この実施形態では図１に示すように、第１充填補助部品１１が形状保持部４の右側に配置され、第２充填補助部品１２が形状保持部４の左側に配置されている。
【００２３】
それぞれの充填補助部品１１、１２は筒状の本体部１１ａ、１２ａを有している。筒状の本体部１１ａ、１２ａは管体３の開口端部に係合することにより管体３の外周側に取り付けられるものである。この実施形態において、第１充填補助部品１１は一方側の端部が管体３に係合し、他方側の端部が外側の管体６に係合する。この係合を行うため、第１充填補助部品１１の本体部１１ａの長さ方向の両端部には、管体３の凹部に係合する係合リブ１３及び外側の管体６の凹部に係合する係合リブ１３が形成されている（図２参照）。両端部の係合リブ１３、１３が管体３、６に係合することにより、第１充填補助部品１１がこれらの管体３、６の外周側に取り付けられる。両端部の係合リブ１３、１３は図２に示すように、第１充填補助部品１１の本体部１１ａにおける長さ方向の両端部の内壁に凸状となって形成されており、対応した管体３、６の開口端部の凹部に嵌り込んで係合する。
【００２４】
図示を省略するが、第２充填補助部品１２の本体部１２ａにも、第１充填補助部品１１の係合リブ１３、１３と同様の凸状の係合リブが長さ方向の両端部に形成されている。一方側の端部の係合リブは管体３の開口端部に係合し、他方側の端部の係合リブは外側の管体７の開口端部に係合する。これらの係合により第２充填補助部品１２が管体３及び外側の管体７の外周側に取り付けられる。
【００２５】
第１充填補助部品１１の本体部１１ａには、流路規制壁１１ｂ及び充填材流通口１１ｃが形成されている。
【００２６】
流路規制壁１１ｂは本体部１１ａの内壁から内径方向に一体に延びるように形成されている。流路規制壁１１ｂは本体部１１ａの両端部に設けられている係合リブ１３、１３の間に位置するように設けられており、後述する充填材５が第１充填補助部品１１の外側（図２における右側）に流れないように規制する。この流路規制壁１１ｂの略中央部分には、電線２が挿通する電線挿通孔１１ｄが形成されている。
【００２７】
充填材流通口１１ｃは流路規制壁１１ｂに近接するように本体部１１ａを厚さ方向に貫通する孔によって形成されている。充填材流通口１１ｃは流路規制壁１１ｂの内側（図２における左側）に位置するように本体部１１ａに形成されている。第１充填補助部品１１における充填材流通口１１ｃは充填材５を電線２及び管体３の内壁３ａの間に注入するための注入口となるものである。
【００２８】
第２充填補助部品１２の本体部１２ａも第１充填補助部品１１と同様に、流路規制壁１２ｂ及び充填材流通口１１ｃが形成されている。
【００２９】
流路規制壁１２ｂは本体部１２ａの内壁から内径方向に一体に延びるように形成されており、その略中央部分には電線２が挿通する電線挿通孔１２ｄが形成されている。第２充填補助部品１２における流路規制壁１２ｂは、充填材５が第２充填補助部品１２の外側（図１における左側）に流れないように規制するものである。
【００３０】
第２充填補助部品１２における充填材流通口１２ｃは、この流路規制壁１２ｂの内側（図１における右側）に位置するように本体部１２ａに形成されている。第２充填補助部品１２において、充填材流通口１２ｃは電線２及び管体３の内壁３ａに充填された充填材５を排出する排出口となっている。
【００３１】
この実施形態において、第１充填補助部品１１は電線２及び管体３の内壁３ａの間に充填材５を充填する充填側となっており、第１充填補助部品１１には図１に示すように充填装置１５が設けられる。
【００３２】
充填装置１５は充填材５が充填されたシリンダ１５ａと、シリンダ１５ａから一体に延びたノズル１５ｂとを有しており、ノズル１５ｂの先端部が第１充填補助部品１１の充填材流通口１１ｃに差し込まれる。充填装置１５はシリンダ１５ａに挿入されたピストン１５ｃを押圧することにより充填材５をノズル１５ｂから突出するようになっている。
【００３３】
以上に加えてこの実施形態においては、形状固定治具１７が用いられる。形状固定治具１７は配索形状に沿った折り曲げ状態となるようにワイヤハーネス１を一時的に固定するものである。このため形状固定治具１７には配索形状に沿った溝部１７ａが形成されており、この溝部１７ａにワイヤハーネス１が嵌め込まれて一時的に固定される。
【００３４】
次に図１及び図２に示す形成装置１０によってワイヤハーネス１に形状保持部４を形成する手順を説明する。
【００３５】
形状保持部４に対応した部分の電線２を管体３に挿通させ、管体３から抜き出ている電線２を第１及び第２充填補助部品１１、１２の電線挿通孔１１ｄ、１２ｄに挿通させる。そしてワイヤハーネス１における形状保持部４に対応した部分を形状固定治具１７によって折り曲げて一時的に固定する。
【００３６】
その後、管体３の両端部を第１及び第２充填補助部品１１、１２に係合させる。この係合は可撓性の管体３を撓ませた状態で右側の開口端部を第１充填補助部品１１の内側の係合リブ１３に係合させ、左側の開口端部を第２充填補助部品１２の内側の係合リブに係合させることにより行われる。さらに、外側の管体６、７を管体３と同様にして、第１及び第２充填補助部品１１、１２における外側の係合リブ１３に係合させる。これらの管体３及び外側の管体６、７の係合により、第１充填補助部品１１が管体３と外側の管体６との間に配置され、第２充填補助部品１２が管体３と外側の管体７との間に配置される。これにより管体３の長さ方向の両側に第１及び第２充填補助部品１１、１２が配置され、形状保持部４がこれらの充填補助部品１１、１２に挟まれた状態となる。
【００３７】
次に第１充填補助部品１１側の充填装置１５から未硬化の充填材５を押し出し、充填材流通口１１ｃを通じて電線２と管体３の内壁３ａとの間に充填材５を注入する。注入された充填材５は第１及び第２充填補助部品１１、１２の流路規制壁１１ｂ、１２ｂによって圧力差が生じ、圧力の低い第２充填補助部品１２側に円滑に流動する。図１及び図２において、矢印Ｇは充填材５の流動を示している。充填材５は第１充填補助部品１１の流路規制壁１１ｂによって規制されて外側の管体６側に流れ出ることなく、電線２と管体３の内壁３ａとの間の隙間を充填しながら第２充填補助部品１２側に流れる。
【００３８】
充填材５が第２充填補助部品１２に達すると流路規制壁１２ｂによって流動が規制されるため、外側の管体７側に流れ出ることがない。そしてこの充填材５は第２充填補助部品１２の充填材流入口１２ｃから排出される。充填材流入口１２ｃからの充填材５の排出を目視することにより第１、第２充填補助部品１１、１２間における電線２と管体３の内壁３ａとの間に充填材５が十分に充填されたことを確認することができる。この確認の後、充填材５を硬化させる。この硬化により形状保持部４が形状を保持した状態となる。
【００３９】
このような実施形態によれば、電線２と管体３の内壁３ａとの間に充填材５が充填されて形成された形状保持部４がワイヤハーネスの形状を保持するため、ワイヤハーネス自体が配索経路に沿った形状となる。このためワイヤハーネスだけでの配索が可能となり、配索用部材を不要とすることができ、ワイヤハーネスの配索を簡単に行うことができる。
【００４０】
又、形成装置１０においては、第１充填補助部品１１の充填材流通口１１ａから充填材５を充填することにより第１及び第２充填補助部品１１、１２の流路規制壁１１ｂ、１２ｂが電線２と管体３の内壁３ａとの間の充填材５の流れを規制してワイヤハーネス１に形状保持部４を形成する。このため、形状保持部４を簡単に形成することができる。又、流路規制壁１１ｂ、１２ｂが充填材５の充填範囲を規制するため、充填材５の充填範囲を管理することができる。さらに形成装置１０は充填材流通口１１ｃ、１２ｃ及び流路規制壁１１ｂ、１２ｂを第１及び第２充填補助部品１１，１２に形成するだけであるから、簡単な構造の形成装置１０とすることができる。
【００４１】
〔第２実施形態〕
図３は本発明の第２実施形態のワイヤハーネス形状保持部形成装置（形成装置）１０を示す。形成装置１０は第１実施形態と同様に第１充填補助部品１１及び第２充填補助部品１２からなる一対の充填補助部品を備えている。第１充填補助部品１１及び第２充填補助部品１２は同一の構造となっているため、図３においては第１充填補助部品１１だけを示している。
【００４２】
図３に示すように第１充填補助部品１１は、一対の周壁半体２１、２２を有している。一対の周壁半体２１、２２は円を半割りした形状に成形されており、ヒンジ（図示省略）により相互に開き動作及び閉じ動作可能に連結されている。周壁半体２１、２２は閉じ動作することにより筒状となってワイヤハーネス１の形状保持部４に取り付けられる。なお、一対の周壁半体２１、２２はヒンジにより連結されることなく別体とし、使用に際して筒状に組み付ける構造であっても良い。
【００４３】
図３における充填補助部品１１は充填材５の充填側となるものであり、それぞれの周壁半体２１、２２の内壁には、管体３に係合する内側の係合リブ１３及び外側の管体６に係合する外側の係合リブ１３が形成されている。又、一対の周壁半体２１、２２のそれぞれには流路規制壁２４、２５が対向するように形成されている。流路規制壁２４、２５は周壁半体２１、２２の内壁から半円板状となって内径方向に突出するように形成されており、周壁半体２１、２２を閉じ作動することにより相互に突き合わされ、この突き合わせにより全体として充填材５の流れを規制する第１実施形態の流路規制壁１１ｂとなる。
【００４４】
それぞれの流路規制壁２４、２５の略中央部分には、電線挿通凹部２６が対向するように形成されている。電線挿通凹部２６は半円状の凹部となっており、周壁半体２１、２２を閉じ作動して流路規制壁２４、２５を突き合わせることにより第１実施形態の電線挿通孔１１ｄとなる。これにより電線２が第１充填補助部品１１を挿通することができる。
【００４５】
さらに一方の周壁半体２１には充填材流通口１１ｃが形成されている。第１充填補助部品１１を充填材５の充填側に用いる場合、充填材流通口１１ｃは充填材５を注入する注入口となり、第１充填補助部品１１を充填材５の排出側に用いる場合、充填材流通口１１ｃは充填材５を排出する排出口となる。
【００４６】
このような実施形態の第１充填補助部品１１は閉じ動作することにより筒状となり、同様の閉じ動作により筒状となった第２充填補助部品１２と共に第１実施形態における形成装置１０を構成する。従って、ワイヤハーネス１に形状保持部４を形成する手順は第１実施形態と同様である。
【００４７】
このような実施形態では、周壁半体２１，２２の電線挿通凹部２６に電線２を挿通させた状態で、一対の周壁半体２１，２２を閉じることにより第１実施形態の流路規制壁１１ｂ、１２ｂとなるため、電線２と管体３の内壁３ａとの間を閉塞する。このため、充填材流通口１１ｃ又は１２ｃから充填材５を電線２及び管体３の内壁３ａとの間に充填して形状保持部４を形成することができる。従ってワイヤハーネス１に対して形状保持部４を確実に形成することができる。
【００４８】
〔第３実施形態〕
図４は本発明の第３実施形態のワイヤハーネス形状保持部形成装置（形成装置）１０を示す。図４は第１充填補助部品１１を示すが、第２充填補助部品１２も同様な構造となっている。
【００４９】
この実施形態の第１充填補助部品１１においては、本体部１１ａの長さ方向の両端部に形成される係合リブ１３、１３のそれぞれに斜面２８が形成されている。その他の構造は第１実施形態と同様となっている。
【００５０】
斜面２８は管体３、６が押し込まれる方向に対し遠ざかる方向に傾斜するように形成されている。例えば、外側の管体６が押し込まれる矢印Ｈで示す方向に対し、外側（右側）の係合リブ１３は押し込み方向Ｈから遠ざかる方向に傾斜するものであり、内側（左側）の係合リブ１３も管体３が押し込まれる方向から遠ざかる方向に傾斜している。
【００５１】
係合リブ１３、１３にこのような斜面２８を形成した構造では、管体３、６を第１充填補助部品１１に押し込む際に斜面２８が管体３、６の開口端部を内径側に撓ませるように案内する。これにより第１充填補助部品１１と管体３、６との連結を簡単に行うことができる。
【００５２】
〔第４実施形態〕
図５〜図７は本発明の第４実施形態を示し、第１充填補助部品１１に固定部３１が形成されている。図示を省略するが、第２充填補助部品１２に対しても同様に固定部３１が形成されるものである。
【００５３】
固定部３１は第１充填補助部品１１の本体部１１ａから径方向外側に突出した舌片状に形成されている。それぞれの固定部３１には係合孔３２が形成されている。図５においては横長の係合孔３２となっており、この横長の係合孔３２に取り付け用ボルト（図示省略）が貫通することにより第１充填補助部品１１が固定される。図６においては係合孔３２がスタッドボルト用となっており、スタッドボルト（図示省略）が貫通することにより第１充填補助部品１１が固定される。図７においては係合孔３２がクリップ用となっており、クリップ（図示省略）が貫通することにより第１充填補助部品１１が固定される。
【００５４】
このように第１充填補助部品１１に固定部３１を突出させ、固定部３１に係合孔３２を形成することにより第１充填補助部品１１を固定することができる。このように固定することにより第１充填補助部品１１を定位置に固定することができるため、ワイヤハーネス１に対して形状保持部４を正確に形成することができる。
【符号の説明】
【００５５】
１  ワイヤハーネス
２  電線
３  管体
３ａ  内壁
４  形状保持部
５  充填材
６、７  外側の管体
１０  ワイヤハーネス形状保持部形成装置
１１  第１充填補助部品
１２  第２充填補助部品
１１ｂ、１２ｂ、２４、２５  流路規制壁
１１ｃ、１２ｃ  充填材流通口
１１ｄ、１２ｄ  電線挿通孔
１３  係合リブ
２１、２２  周壁半体
２６  電線挿通凹部
【図１】
2012186952.tif 000003
【図２】
2012186952.tif 000004
【図３】
2012186952.tif 000005
【図４】
2012186952.tif 000006
【図５】
2012186952.tif 000007
【図６】
2012186952.tif 000008
【図７】
2012186952.tif 000009